(57)【要約】【課題】  ビス固定ナットを小型化することができ、内部空間を広く取ることができる、取着体を提供する。【解決手段】  取着体としての配線用ボックス５は、内部空間５ｂを囲む周壁５ｃと、その周壁５ｃの内面側に位置するボス部６、６とを備える。ここにおいて、ボス部６は、配線器具２を取り付けるためのビス４が挿入される挿入孔６ａを有する。そして、ボス部６内には、ビス固定ナット７が収容される。このビス固定ナット７は、板材からなり、挿入孔６ａと連通してビス軸部４ａが通る通孔７ａと、その通孔７ａの内周面を形成するように、その通孔７ａを通るビス軸部４ａの周囲を巻くようにして延設される弾性係合片７ｂ、７ｂとを備える。そして、弾性係合片７ｂは、その延設された先端部分に、通孔７ａ側に突出して、ビス軸部４ａと係合する係合部７ｃが設けられている。【選択図】  図３
2006153154.tif 000002
【特許請求の範囲】
【請求項１】
配線器具等の被取着物が、ビスを用いて取着される取着体であって、
少なくとも一方に開放部を有する内部空間を形成するようにその内部空間を囲む周壁と、前記周壁の内面側に位置するボス部とを備え、
前記ボス部は、前記ビスが前記開放部側から挿入される挿入孔を有し、
前記ボス部内には、前記開放部側から前記挿入孔に挿入された前記ビスを固定するためのビス固定ナットが収容され、
前記ビス固定ナットは、板材からなり、前記挿入孔と連通して前記ビスのビス軸部が通る通孔と、その通孔の内周面を形成するように、その通孔を通る前記ビス軸部の周囲を巻くようにして延設される弾性係合片とを備え、
前記弾性係合片は、その延設された先端部分に、前記通孔側に突出して、前記通孔を通る前記ビス軸部と係合する係合部が設けられており、
前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止することを特徴とする取着体。
【請求項２】
前記ビス固定ナットは、前記通孔と前記弾性係合片が設けられた第１板部と、その第１板部の周端の全周あるいはほぼ全周から折れ曲がって形成された第２板部とを備えることを特徴とする請求項１に記載の取着体。
【請求項３】
前記弾性係合片は、三つ設けられ、それら弾性係合片が、前記通孔の中心を対称軸として１２０度の回転対称の位置に配置されていることを特徴とする請求項１または２に記載の取着体。
【請求項４】
前記ビスは右ねじであって、
前記弾性係合片は、前記挿入方向から見て、前記通孔を時計回り方向に回る方向に延設されていることを特徴とする請求項１ないし３のいずれか１項に記載の取着体。
【請求項５】
配線器具等の被取着物が、ビスを用いて取着される取着体の、少なくとも一方に開放部を有する内部空間を形成するようにその内部空間を囲む周壁の、内面側に位置するボス部内に収容され、前記開放部側から前記ボス部の挿入孔に挿入された前記ビスを固定するためのビス固定ナットであって、
板材からなり、前記挿入孔と連通して前記ビスのビス軸部が通る通孔と、その通孔の内周面を形成するように、その通孔を通る前記ビス軸部の周囲を巻くようにして延設される弾性係合片とを備え、
前記弾性係合片は、その延設された先端部分に、前記通孔側に突出して、前記通孔を通る前記ビス軸部と係合する係合部が設けられており、
前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止することを特徴とするビス固定ナット。
【請求項６】
ビスと係合してそのビスを固定するためのビス固定ナットであって、
板材からなり、前記ビスのビス軸部が通る通孔と、その通孔の内周面を形成するように、その通孔を通る前記ビス軸部の周囲を巻くようにして延設される弾性係合片とを備え、
前記弾性係合片は、その延設された先端部分に、前記通孔側に突出して、前記通孔を通る前記ビス軸部と係合する係合部が設けられており、
前記通孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記通孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止することを特徴とするビス固定ナット。
【発明の詳細な説明】
【技術分野】
【０００１】
この発明は、配線器具等の被取着物が、ビスを用いて取着される取着体、および、その取着体等に設けられて、ビスを固定するためのビス固定ナットに関するものである。
【背景技術】
【０００２】
従来、建物の壁表側から、被取着物としての配線器具を固定するには、取付け用のビスを、前記配線器具が取着された器具枠に挿通するとともに、壁内に隠蔽もしくは埋設された、取着体としての配線用ボックスの一対のボス部内に収容されたナット、または、そのボックスに取り付けられた、取着体としてのボックスカバーの一対のボス部内に収容されたナットに、前記ビスをねじ込んでいた。
【０００３】
しかし、前記ビスによるねじ込み作業は、ビスをドライバーで回転させて締め込んでいかなければならず、大変面倒でかつ時間のかかるものであった。
【０００４】
そこで、前記ナットの替わりに、板状のビス固定ナットを用いた配線用ボックス（スイッチボックス）が考案された（例えば、特許文献１参照）。このビス固定ナットには、ビス挿通孔が明けられており、そのビス挿通孔の周囲に、放射状に切れ目が入れられることで、多数のたわみ片が形成されていた。そして、ビスを、ドライバーで回転させることなく、ビス挿通孔に押し込むことで、ビスの山が、たわみ片の先端部分に係合し、こうして、配線器具を配線用ボックスに固定することができた。
【０００５】
【特許文献１】実開昭５２−６４３９３号公報
【発明の開示】
【発明が解決しようとする課題】
【０００６】
ところで、前記従来の、取着体としての配線用ボックスにおいては、ビス固定ナットのたわみ片に弾性を付与する必要があることから、そのたわみ片を形成するためのビス挿通孔の全周に設けられた切れ目を、長くしなければならなかった。その結果、前記ビス挿通孔は、切れ目を含めて大径となり、ボス部全体が大型化された。そのため、ボス部が、内部空間に向けて突出して形成されてしまい、大型の配線器具と干渉し、その配線器具の挿入ができない等の問題があった。
【０００７】
この発明は、上記した従来の欠点を解決するためになされたものであり、その目的とするところは、ビス固定ナットを小型化することができる、取着体およびビス固定ナットを提供することにある。
【０００８】
また、他の目的は、ビス固定ナットを小型化することで、取着体の内部空間を広く取ることができる、取着体およびビス固定ナットを提供することにある。
【課題を解決するための手段】
【０００９】
この発明に係る取着体およびビス固定ナットは、前記目的を達成するために、次の構成からなる。すなわち、
請求項１に記載の発明に係る取着体は、配線器具等の被取着物が、ビスを用いて取着される取着体であって、少なくとも一方に開放部を有する内部空間を形成するようにその内部空間を囲む周壁と、前記周壁の内面側に位置するボス部とを備える。ここにおいて、前記ボス部は、前記ビスが前記開放部側から挿入される挿入孔を有する。そして、前記ボス部内には、前記開放部側から前記挿入孔に挿入された前記ビスを固定するためのビス固定ナットが収容される。このビス固定ナットは、板材からなり、前記挿入孔と連通して前記ビスのビス軸部が通る通孔と、その通孔の内周面を形成するように、その通孔を通る前記ビス軸部の周囲を巻くようにして延設される弾性係合片とを備える。そして、前記弾性係合片は、その延設された先端部分に、前記通孔側に突出して、前記通孔を通る前記ビス軸部と係合する係合部が設けられている。そこで、前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止する。
【００１０】
これにより、この取着体に配線器具等の被取着物を取り付けるには、この取着体のボス部に設けられた挿入孔に、開放部側からビスを押し込むように押圧する。こうすることで、ビス固定ナットに設けられた弾性係合片の先端部分の、通孔側に突出した係合部が、ビス軸部に押圧される。それに共なって、弾性係合片が、ビス軸部の挿入方向へ傾斜するように、あるいは、挿入方向への傾斜が増すように弾性変形して、ビス軸部の、挿入方向への移動が許容されて、このビス軸部は、通孔に挿入される。そして、ビスの押し込みを終えると、弾性係合片の係合部は、ビス軸部と係合し、こうして、ビスが固定され、被取着物は、取着体に取着される。ここにおいて、挿入孔からのビス軸部の抜けに対しては、ビス軸部と係合した弾性係合片が、ビス軸部につられて、その抜け方向へ、すなわち前記挿入方向への傾斜が減ずる方向へ弾性変形しようとして、弾性係合片は、ビス軸部を押圧する。そして、この押圧により、弾性係合片は、前記抜け方向への弾性変形が困難となるとともに、ビス軸部への係合が強固なものとなり、ビスの抜けが阻止される。ここで、ビス固定ナットは、弾性係合片が、ビス軸部が通る通孔の内周面を形成するように、その通孔を通るビス軸部の周囲を巻くようにして延設されている。このように、弾性係合片が、通孔に向かって延設されるのではなく、通孔を通るビス軸部の周囲を巻くようにして延設されることで、これら通孔と弾性係合片とで構成されるビス固定ナットの小型化が可能となる。そして、このように、ボス部内に収容されるビス固定ナットは、小型化が可能なことから、ボス部を小さくして、この取着体の内部空間を広く取ることができる。
【００１１】
また、請求項２に記載の発明に係る取着体は、請求項１に記載の取着体において、前記ビス固定ナットは、前記通孔と前記弾性係合片が設けられた第１板部と、その第１板部の周端の全周あるいはほぼ全周から折れ曲がって形成された第２板部とを備える。こうして、ビス固定ナットが、第１板部の周端の全周あるいはほぼ全周から折れ曲がって形成された第２板部を備えることで、第１板部に設けられた弾性係合片が安定して支持される。
【００１２】
また、請求項３に記載の発明に係る取着体は、請求項１または２に記載の取着体において、前記弾性係合片は、三つ設けられ、それら弾性係合片が、前記通孔の中心を対称軸として１２０度の回転対称の位置に配置されている。このように、三つの弾性係合片を、１２０度の回転対称の位置に配置することで、ビス軸部と係合する弾性係合片が、そのビス軸部をバランス良く支持し、かつ、弾性係合片の長さを適度に取ることができる。
【００１３】
また、請求項４に記載の発明に係る取着体は、請求項１ないし３のいずれか１項に記載の取着体において、前記ビスは右ねじであって、前記弾性係合片は、前記挿入方向から見て、前記通孔を時計回り方向に回る方向に延設されている。これにより、弾性係合片の係合部がビス軸部と係合したときに、前記挿入方向への傾斜による弾性係合片の延設方向が、ビス軸部のねじの螺旋の方向と同じ側となる。したがって、弾性係合片の係合部は、ビス軸部に確実に係合し、ビスの抜けを的確に阻止することができる。
【００１４】
また、請求項５に記載の発明に係るビス固定ナットは、配線器具等の被取着物が、ビスを用いて取着される取着体の、少なくとも一方に開放部を有する内部空間を形成するようにその内部空間を囲む周壁の、内面側に位置するボス部内に収容され、前記開放部側から前記ボス部の挿入孔に挿入された前記ビスを固定するためのビス固定ナットである。このビス固定ナットは、板材からなり、前記挿入孔と連通して前記ビスのビス軸部が通る通孔と、その通孔の内周面を形成するように、その通孔を通る前記ビス軸部の周囲を巻くようにして延設される弾性係合片とを備える。そして、前記弾性係合片は、その延設された先端部分に、前記通孔側に突出して、前記通孔を通る前記ビス軸部と係合する係合部が設けられている。そこで、前記挿入孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記挿入孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止する。
【００１５】
これにより、取着体に配線器具等の被取着物を取り付けるには、この取着体のボス部に設けられた挿入孔に、開放部側からビスを押し込むように押圧する。こうすることで、ビス固定ナットに設けられた弾性係合片の先端部分の、通孔側に突出した係合部が、ビス軸部に押圧される。それに共なって、弾性係合片が、ビス軸部の挿入方向へ傾斜するように、あるいは、挿入方向への傾斜が増すように弾性変形して、ビス軸部の、挿入方向への移動が許容されて、このビス軸部は、通孔に挿入される。そして、ビスの押し込みを終えると、弾性係合片の係合部は、ビス軸部と係合し、こうして、ビスが固定され、被取着物は、取着体に取着される。ここにおいて、挿入孔からのビス軸部の抜けに対しては、ビス軸部と係合した弾性係合片が、ビス軸部につられて、その抜け方向へ、すなわち前記挿入方向への傾斜が減ずる方向へ弾性変形しようとして、弾性係合片は、ビス軸部を押圧する。そして、この押圧により、弾性係合片は、前記抜け方向への弾性変形が困難となるとともに、ビス軸部への係合が強固なものとなり、ビスの抜けが阻止される。ここで、ビス固定ナットは、弾性係合片が、ビス軸部が通る通孔の内周面を形成するように、その通孔を通るビス軸部の周囲を巻くようにして延設されている。このように、弾性係合片が、通孔に向かって延設されるのではなく、通孔を通るビス軸部の周囲を巻くようにして延設されることで、これら通孔と弾性係合片とで構成されるビス固定ナットの小型化が可能となる。そして、このように、ボス部内に収容されるビス固定ナットは、小型化が可能なことから、ボス部を小さくして、取着体の内部空間を広く取ることができる。
【００１６】
また、請求項６に記載の発明に係るビス固定ナットは、ビスと係合してそのビスを固定するためのビス固定ナットである。このビス固定ナットは、板材からなり、前記ビスのビス軸部が通る通孔と、その通孔の内周面を形成するように、その通孔を通る前記ビス軸部の周囲を巻くようにして延設される弾性係合片とを備える。そして、前記弾性係合片は、その延設された先端部分に、前記通孔側に突出して、前記通孔を通る前記ビス軸部と係合する係合部が設けられている。そこで、前記通孔への前記ビス軸部の挿入に対しては、前記弾性係合片は、前記ビス軸部の挿入方向へ傾斜するように、あるいは、前記挿入方向への傾斜が増すように弾性変形することで、前記ビス軸部の、前記挿入方向への移動を許容し、前記通孔からの前記ビス軸部の抜けに対しては、前記ビス軸部と係合した前記弾性係合片が、前記ビス軸部の抜け方向へ、前記挿入方向への傾斜が減ずるように弾性変形しようとして、前記ビス軸部を押圧することにより、前記弾性係合片の、前記抜け方向への弾性変形を困難にして、前記ビス軸部の、前記抜け方向への移動を阻止する。
【００１７】
これにより、ビスを固定するには、ビス固定ナットに設けられた通孔に、ビスを押し込むように押圧する。こうすることで、ビス固定ナットに設けられた弾性係合片の先端部分の、通孔側に突出した係合部が、ビス軸部に押圧される。それに共なって、弾性係合片が、ビス軸部の挿入方向へ傾斜するように、あるいは、挿入方向への傾斜が増すように弾性変形して、ビス軸部の、挿入方向への移動が許容されて、このビス軸部は、通孔に挿入される。そして、ビスの押し込みを終えると、弾性係合片の係合部は、ビス軸部と係合し、こうして、ビスは固定される。ここにおいて、通孔からのビス軸部の抜けに対しては、ビス軸部と係合した弾性係合片が、ビス軸部につられて、その抜け方向へ、すなわち前記挿入方向への傾斜が減ずる方向へ弾性変形しようとして、弾性係合片は、ビス軸部を押圧する。そして、この押圧により、弾性係合片は、前記抜け方向への弾性変形が困難となるとともに、ビス軸部への係合が強固なものとなり、ビスの抜けが阻止される。ここで、ビス固定ナットは、弾性係合片が、ビス軸部が通る通孔の内周面を形成するように、その通孔を通るビス軸部の周囲を巻くようにして延設されている。このように、弾性係合片が、通孔に向かって延設されるのではなく、通孔を通るビス軸部の周囲を巻くようにして延設されることで、これら通孔と弾性係合片とで構成されるビス固定ナットの小型化が可能となる。
【発明の効果】
【００１８】
請求項１ないし５に記載の発明に係る取着体およびビス固定ナットによれば、ビス固定ナットの弾性係合片を、通孔に向かって延設するのではなく、通孔を通るビス軸部の周囲を巻くようにして延設することで、これら通孔と弾性係合片とで構成されてボス部内に収容されるビス固定ナットを小型化することができる。そして、この小型化されたビス固定ナットにより、ボス部を小さくして、取着体の内部空間を広く取ることができる。
【００１９】
また、請求項６に記載の発明に係るビス固定ナットによれば、弾性係合片を、通孔に向かって延設するのではなく、通孔を通るビス軸部の周囲を巻くようにして延設することで、これら通孔と弾性係合片とで構成されるビス固定ナットを小型化することができる。
【発明を実施するための最良の形態】
【００２０】
以下、この発明に係る取着体およびビス固定ナットを実施するための最良の形態を図面に基づいて説明する。
【００２１】
図１ないし図５は、本発明の一実施の形態を示す。図中符号１は、建物の壁である。２は、被取着物としての、コンセントとかスイッチ等の配線器具である。３は、その配線器具２を保持する保持材としての保持パネルである。４は、固着具としてのビスである。５は、前記配線器具２がビス４を用いて取着される、取着体としての配線用ボックスである。
【００２２】
ここで、保持パネル３は、枠状に形成されており、その枠内に、配線器具２が取り付けられる。そして、保持パネル３は、その各側、例えば上下の各側に、ビス４が挿通される孔３ａが形成されている。
【００２３】
配線用ボックス５は、一方に開放部５ａを有する内部空間５ｂを形成するようにその内部空間５ｂを囲む周壁５ｃと、周壁５ｃの内面側に位置するボス部６、６とを備えている。そして、ボス部６は、ビス４が前記開放部５ａ側から挿入される挿入孔６ａを有する。ここにおいて、ボス部６内には、前記開放部５ａ側から挿入孔６ａに挿入されたビス４を固定するためのビス固定ナット７が収容されている。このビス固定ナット７は、板材からなり、挿入孔６ａと連通して前記ビス４のビス軸部４ａが通る通孔７ａと、その通孔７ａの内周面を形成するように、その通孔７ａを通るビス軸部４ａの周囲を巻くようにして延設される弾性係合片７ｂとを備える。弾性係合片７ｂは、その延設された先端部分に、通孔７ａ側に突出して、通孔７ａを通るビス軸部４ａと係合する係合部７ｃが設けられている。
【００２４】
そこで、ボス部６の挿入孔６ａおよびボス部６内に収容されたビス固定ナット７の通孔７ａへのビス軸部４ａの挿入に対しては、ビス固定ナット７の弾性係合片７ｂは、ビス軸部４ａの挿入方向Ｐへ傾斜するように、あるいは、挿入方向Ｐへの傾斜が増すように（図示実施の形態においては、挿入方向Ｐへの傾斜が増すように）弾性変形することで、ビス軸部４ａの、前記挿入方向Ｐへの移動を許容する。反対に、挿入孔６ａからのビス軸部４ａの抜けに対しては、ビス軸部４ａと係合した弾性係合片７ｂが、ビス軸部４ａの抜け方向Ｑへ、前記挿入方向Ｐへの傾斜が減ずるように弾性変形しようとして、ビス軸部４ａを押圧することにより、弾性係合片７ｂの、前記抜け方向Ｑへの弾性変形を困難にして、ビス軸部４ａの、前記抜け方向Ｑへの移動を阻止する。
【００２５】
具体的には、配線用ボックス５は、合成樹脂製であって、前側に前記開放部５ａを備えた箱型形状、例えば直方体形状をしている。そこで、ボス部６は、配線用ボックス５の、例えば上下の各側に、周壁５ｃから内部空間５ｂ側に突出するようにして形成される。そして、このボス部６に、配線用ボックス５の前側（つまり、前記開放部５ａ側）から後方に向かって、前記挿入孔６ａが形成される。また、ボス部６には、ビス固定ナット７を収容する収容孔６ｂが、前記挿入孔６ａに連通するようにして形成される。詳細には、この収容孔６ｂは、周壁５ｃの外面側から挿入孔６ａに向かって交差（図示実施の形態においては直交）するように明けられている。
【００２６】
ビス固定ナット７は、前側（つまり、前記開放部５ａ側）からボス部６の挿入孔６ａに挿入されたビス４と係合してそのビス４を固定するためのものであり、前記通孔７ａと前記弾性係合片７ｂが設けられた第１板部８を備える。詳細には、ビス固定ナット７は、ばね性を有する板材、例えば、鋼板とか銅合金板等の金属板からなり、前記第１板部８と、後述する第２板部９とを備える。
【００２７】
第１板部８は、例えば略六角形状をしており、ボス部６の挿入孔６ａと交差（図示実施の形態においては直交）するように位置する。そして、通孔７ａは、例えば、第１板部８の中央に明けられており、前記挿入孔６ａと連通するように位置する。弾性係合片７ｂは、第１板部８において、通孔７ａから外方側に渦を巻くように延びる切り込み８ａと、通孔７ａとに挟まれるようにして形成される。こうして、弾性係合片７ｂは、通孔７ａを通るビス軸部４ａの周囲を、前記切り込み８ａの方向とは反対方向に巻くように延設される。また、弾性係合片７ｂは、基端側から先端側に向かうにつれて、ビス軸部４ａの挿入方向Ｐに進むように傾斜して形成されている（図４参照）。加えて、弾性係合片７ｂは、通孔７ａ側が、その通孔７ａから離れた側よりも、前記挿入方向Ｐ側となるように傾斜している（図２参照）。そして、図示実施の形態においては、巴形に類似した弾性係合片７ｂが、三つ設けられ、それら弾性係合片７ｂ、７ｂが、通孔７ａの中心を対称軸として１２０度の回転対称の位置に渦を巻くように配置されている。ここにおいて、ビス４が右ねじであるのに対し、これら弾性係合片７ｂ、７ｂは、ビス軸部４ａの挿入方向Ｐから見て、通孔７ａを時計回り方向に回る方向に延設されている（図３、図５参照）。
【００２８】
第２板部９は、第１板部８の周端の全周あるいはほぼ全周（図示実施の形態においては全周）から、例えばビス軸部４ａの挿入方向Ｐに、直角に折れ曲がって形成されている。すなわち、第１板部８が、略六角形状であるのに対して、この第２板部９は、略六角の筒形状となっている。こうして、ビス固定ナット７は、カップ状に形成されることとなる。
【００２９】
次に、以上の構成からなる配線用ボックス５およびビス固定ナット７の作用効果について説明する。この配線用ボックス５は、予め、壁１の裏側の柱等に、木ねじ等の固着具により取り付けられている。そこで、この配線用ボックス５に配線器具２を取り付けるには、配線用ボックス５に対応して壁１に明けられた壁孔１ａ部分における、壁１の表側に、配線器具２を取り付けた保持パネル３を宛がう。その後、ビス４（詳細には、ビス軸部４ａ）を保持パネル３の孔３ａに通し、この配線用ボックス５のボス部６に設けられた挿入孔６ａおよびボス部６内に収容されたビス固定ナット７の通孔７ａに、前側（すなわち、開放部５ａ側）からビス４を押し込むように押圧する。こうすることで、ビス固定ナット７に設けられた弾性係合片７ｂ、７ｂの先端部分の、通孔７ａ側に突出した係合部７ｃ、７ｃが、ビス軸部４ａに押圧される。それに共なって、弾性係合片７ｂ、７ｂが、ビス軸部４ａの挿入方向Ｐへ傾斜するように、あるいは、挿入方向Ｐへの傾斜が増すように（図示実施の形態においては、挿入方向Ｐへの傾斜が増すように）弾性変形して、ビス軸部４ａの、挿入方向Ｐへの移動が許容されて、このビス軸部４ａは、挿入孔６ａおよび通孔７ａに挿入される。そして、ビス４の押し込みを終えると、弾性係合片７ｂ、７ｂの係合部７ｃは、ビス軸部４ａと係合し、こうして、ビス４が固定され、配線器具２は、保持パネル３とともに配線用ボックス５に取着される。
【００３０】
ここにおいて、挿入孔６ａおよび通孔７ａからのビス軸部４ａの抜けに対しては、ビス軸部４ａと係合した弾性係合片７ｂ、７ｂが、ビス軸部４ａにつられて、その抜け方向Ｑへ、すなわち前記挿入方向Ｐへの傾斜が減ずる方向へ弾性変形しようとして、弾性係合片７ｂ、７ｂは、ビス軸部４ａを押圧する。そして、この押圧により、弾性係合片７ｂ、７ｂは、前記抜け方向Ｑへの弾性変形が困難となるとともに、ビス軸部４ａへの係合が強固なものとなり、ビス４の抜けが阻止される。このように、ビス４をボス部６の挿入孔６ａ、そして通孔７ａに押し込むことで、配線用ボックス５に配線器具２を簡単に固定することができる。しかも、ビス軸部４ａの周囲を巻くようにして延設される弾性係合片７ｂ、７ｂは、ビス４の抜けに対して、ビス軸部４ａの周方向に絡み付いて大きな抵抗力を発揮するため、この配線用ボックス５に配線器具２を確実に固定することができる。
【００３１】
さらに、ビス４は右ねじであって、ビス固定ナット７の弾性係合片７ｂ、７ｂは、前記挿入方向Ｐから見て、通孔７ａを時計回り方向に回る方向に延設されている。こうすることで、弾性係合片７ｂ、７ｂの係合部７ｃ、７ｃがビス軸部４ａと係合したときに、前記挿入方向Ｐへの傾斜による弾性係合片７ｂ、７ｂの延設方向が、ビス軸部４ａのねじの螺旋の方向（図４参照）と同じ側となる。よって、弾性係合片７ｂ、７ｂの係合部７ｃ、７ｃは、ビス軸部４ａに確実に係合し、ビス４の抜けを的確に阻止することができる。
【００３２】
また、上述のように、ビス固定ナット７は、弾性係合片７ｂが、ビス軸部４ａが通る通孔７ａの内周面を形成するように、その通孔７ａを通るビス軸部４ａの周囲を巻くようにして延設されている。このように、弾性係合片７ｂが、通孔７ａに向かって延設されるのではなく、通孔７ａを通るビス軸部４ａの周囲を巻くようにして延設されることで、これら通孔７ａと弾性係合片７ｂとで構成されるビス固定ナット７の小型化が可能となる。そして、このように、ボス部６内に収容されるビス固定ナット７を小型化することができることから、ボス部６を小さくして、この配線用ボックス５の内部空間５ｂを広く取ることができる。したがって、この内部空間５ｂに大きな配線器具２を収容することができる。
【００３３】
また、ビス固定ナット７は、第１板部８の周端の全周あるいはほぼ全周から折れ曲がって形成された第２板部９を備えることで、第１板部８に設けられた弾性係合片７ｂが安定して支持される。そして、ビス固定ナット７は、三つの弾性係合片７ｂ、７ｂが、１２０度の回転対称の位置に配置されることから、ビス軸部４ａと係合する弾性係合片７ｂ、７ｂが、そのビス軸部４ａをバランス良く支持し、かつ、弾性係合片７ｂ、７ｂの長さを適度に取ることができる。
【００３４】
ところで、配線用ボックス５に配線器具２を取り付ける際に、配線用ボックス５の挿入孔６ａとビス固定ナット７の通孔７ａとにビス４のビス軸部４ａを押し込んだ後、さらに、そのビス４を、その締め付け方向に回動してもよい。このように、ビス４に回動を加えることで、この配線用ボックス５に配線器具２を強固に固定することが可能となる。
【００３５】
反対に、配線用ボックス５から配線器具２を取り外すには、弾性係合片７ｂが係合したビス４を、その緩み方向に回動する。こうすることで、ビス４は、後退してボス部６（詳細には、挿入孔６ａ）から取り除かれ、配線器具２は、保持パネル３とともに、配線用ボックス５から取り外される。
【００３６】
なお、本発明は、上述した実施の形態に限定されるわけではなく、その他種々の変更が可能である。例えば、ビス固定ナット７における弾性係合片７ｂは、切り込み８ａによって形成されているが、図６に示すように、切り欠き８ｂによって形成されても構わない。ここで、この弾性係合片７ｂは、ビス軸部４ａの挿入方向Ｐから見て、反時計回り方向に回る方向に延設されている。このように、弾性係合片７ｂは、時計回り方向あるいは反時計回り方向のいずれの方向に延設されても構わない。
【００３７】
また、弾性係合片７ｂは、三つ設けられているが、その数は三つに限定されるものではなく、幾つであってもよい。
【００３８】
また、弾性係合片７ｂは、ビス軸部４ａが挿入孔６ａおよび通孔７ａに挿入される前から挿入方向Ｐに傾斜していてもよいが、ビス軸部４ａが挿入される前においては、挿入孔６ａの軸方向と直交し、ビス軸部４ａを挿入することで、弾性係合片７ｂが、ビス軸部４ａに押されて、そのビス軸部４ａの挿入方向Ｐへ傾斜するように、弾性変形するものであってもよい。
【００３９】
また、ビス固定ナット７は、第１板部８と第２板部９とから構成されているが、この第２板部９はなくともよい。
【００４０】
また、取着体は、内部空間５ｂが一方に開放部５ａを有する配線用ボックス５等でなくとも、内部空間が一方に開放部を有するとともに他方にも開放する枠状の取着体であってもよい。この枠状の取着体としては、例えば被取着物としての配線器具２が取着されるとともに、配線用ボックスに取り付けられる配線用ボックスカバー等がある。ここで、配線用ボックスカバーとしては、塗代付きのボックスカバーとか板状のボックスカバー等がある。さらに、取着体は、これら配線用ボックス５とか配線用ボックスカバーでなくとも、被取着物がビス４を用いて取着されるものであればどのようなものでもよい。
【００４１】
また、被取着物は、配線器具２でなくとも、例えば、取着体としての配線用ボックス５に取着される配線用ボックスカバーであってもよく、配線器具２に限定されるものではない。
【００４２】
また、ビス固定ナット７は、配線用ボックス５等の取着体のボス部６に収容されて用いられなくとも、一般にビスが用いられる場所であれば、どのような場所に用いられてもよい。
【図面の簡単な説明】
【００４３】
【図１】この発明の一実施の形態の、縦断面図である。
【図２】同じく、図１におけるＡ部拡大図である。
【図３】同じく、図２におけるＢ−Ｂ線による断面図である。
【図４】同じく、図２における、ビス固定ナットの一部を破断したＣ矢視図である。
【図５】同じく、ビス固定ナットの正面図である。
【図６】この発明の変形形態を示す、ビス固定ナットの正面図である。
【符号の説明】
【００４４】
２  配線器具（被取着物）
４  ビス
４ａ  ビス軸部
５  配線用ボックス（取着体）
５ａ  開放部
５ｂ  内部空間
５ｃ  周壁
６  ボス部
６ａ  挿入孔
７  ビス固定ナット
７ａ  通孔
７ｂ  弾性係合片
７ｃ  係合部
８  第１板部
９  第２板部
Ｐ  挿入方向
Ｑ  抜け方向
【図１】
2006153154.tif 000003
【図２】
2006153154.tif 000004
【図３】
2006153154.tif 000005
【図４】
2006153154.tif 000006
【図５】
2006153154.tif 000007
【図６】
2006153154.tif 000008